(57)【要約】【課題】高いセキュリティ効果を容易に付与できるホログラム積層体を提供する。【解決手段】ホログラムラベル１ａは、ホログラム層１５を最上層とし、その下方に、赤外線透過・可視光反射／吸収層１３、基材層１１、赤外線蛍光層１７、粘着層１９を順に重ねて形成されたものである。このホログラムラベル１ａを、情報記録媒体２０に赤外線を吸収するインクで形成された画像情報２３上に貼付すると、画像情報２３は赤外線透過・可視光反射／吸収層１３により不可視となる。一方、この情報記録媒体２０に赤外線による励起光を照射することにより画像情報２３を読取ることができ、ホログラム層１５のホログラムと、赤外線による画像情報２３の読取と組みわせることにより、情報記録媒体２０に高いセキュリティ性を付与できる。【選択図】図１
2013190729.tif 000002
【特許請求の範囲】
【請求項１】
赤外線を吸収する材料で形成した画像情報を有する情報記録媒体に付されるホログラム積層体であって、
赤外線を透過しかつ可視光を反射または吸収する材料を含む層と、
赤外線による励起光により励起され、励起光と異なるピーク波長の赤外線を発光する蛍光体を含む赤外線蛍光層とが、
ホログラム層の下に設けられることを特徴とするホログラム積層体。
【請求項２】
前記赤外線を透過しかつ可視光を反射または吸収する材料を含む層の下に、基材層が設けられ、
前記基材層の下に、前記赤外線蛍光層が設けられることを特徴とする請求項１に記載のホログラム積層体。
【請求項３】
前記赤外線を透過しかつ可視光を反射または吸収する材料を含む層が、前記赤外線蛍光層の下に設けられ、
前記赤外線を透過しかつ可視光を反射または吸収する材料を含む層の下に、基材層が設けられることを特徴とする請求項１に記載のホログラム積層体。
【請求項４】
前記赤外線を透過しかつ可視光を反射または吸収する材料を含む層の下に、前記赤外線蛍光層が設けられ、
前記赤外線蛍光層の下に、基材層が設けられることを特徴とする請求項１に記載のホログラム積層体。
【請求項５】
粘着層が最下層として設けられることを特徴とする請求項１乃至請求項４のいずれかに記載のホログラム積層体。
【請求項６】
赤外線を透過しかつ可視光を反射または吸収する材料を含む層と、
赤外線による励起光により励起され、励起光と異なるピーク波長の赤外線を発光する蛍光体を含む赤外線蛍光層とが、
ホログラム層の下に設けられ、
赤外線を吸収する材料で形成した画像情報を内部に有することを特徴とするホログラム積層体。
【請求項７】
赤外線を吸収する材料で形成した画像情報を有し、
赤外線を透過しかつ可視光を反射または吸収する材料を含む層と、赤外線による励起光により励起され、励起光と異なるピーク波長の赤外線を発光する蛍光体を含む赤外線蛍光層とがホログラム層の下に設けられたホログラム積層体が、
前記画像情報の上に付されたことを特徴とする情報記録媒体。
【発明の詳細な説明】
【技術分野】
【０００１】
本発明は、ホログラム層などを積層したホログラム積層体等に関する。
【背景技術】
【０００２】
肉眼では見えないバーコード等の画像情報を種々の媒体に付与し、これを読取る技術として、赤外線を吸収するインキで画像情報を印刷し、これを赤外線で励起され赤外線を発光する蛍光材料、および赤外線を透過し可視光を不透過とする材料を用いて隠蔽するものが、特許文献１、２に示されている。この画像情報は、不可視であるが赤外線での読取が可能であり、各種のセキュリティ用途に利用可能である。
【０００３】
一方、同じくセキュリティ用途に利用されている技術としてホログラムがある。ホログラムは、レーザー等を使用して物体から反射した光の波形を、参照光と干渉させ、これを干渉縞として感光材料に記録したものであり、これを参照光下で目視すると物体の像が視認できる。ホログラムは、同一意匠の複製が困難であることから、セキュリティ用途に多く使用されている。特許文献３には、このようなホログラムの例が示されている。
【先行技術文献】
【特許文献】
【０００４】
【特許文献１】登録実用新案第３０１３３２８号公報
【特許文献２】特開２００１−９６８８９号公報
【特許文献３】特開２０１１−１４１８８１号公報
【発明の概要】
【発明が解決しようとする課題】
【０００５】
しかしながら、特許文献１〜２の方法は、どちらも、画像情報を、赤外線を吸収するインキで形成した後、上記の材料を画像情報の上に形成するものであり、媒体を製造した後に必要な画像情報を保護するなどの自由度がないという問題がある。
【０００６】
一方、ホログラムは、前記したセキュリティ効果を有しているが、偽造技術の高度化により複製される恐れもあり、ホログラムを用いた技術としては、よりセキュリティを高めるような工夫が求められる。
上記した画像情報の赤外線読取の場合も同じく、よりセキュリティ性を高めることが望ましい。
【０００７】
本発明は、前述した問題点に鑑みてなされたもので、高いセキュリティ効果を媒体に容易に付与できるホログラム積層体を提供することを目的とする。
【課題を解決するための手段】
【０００８】
前述した目的を達するための第１の発明は、赤外線を吸収する材料で形成した画像情報を有する情報記録媒体に付されるホログラム積層体であって、赤外線を透過しかつ可視光を反射または吸収する材料を含む層と、赤外線による励起光により励起され、励起光と異なるピーク波長の赤外線を発光する蛍光体を含む赤外線蛍光層とが、ホログラム層の下に設けられることを特徴とするホログラム積層体である。
【０００９】
赤外線を吸収する材料で形成した画像情報を有する情報記録媒体に、第１の発明のホログラム積層体を付すことにより、この画像情報を不可視とできる。一方、これに赤外線による励起光を照射すると、ホログラム積層体の赤外線蛍光層は励起光により励起され赤外線を発光する一方、情報記録媒体の画像情報の部分は赤外線を吸収する。従って、赤外線蛍光層から発光された赤外線を受光することにより撮像を行えば、撮像データ上で現れる、画像情報の部分と赤外線蛍光層の部分との輝度差から、画像情報を読取ることが可能になる。
また、このホログラム積層体は、情報記録媒体の作成後、不可視とする必要がある画像情報を選択して付すだけでよい。これにより、ホログラムの目視と、赤外線による画像情報の読取による二重のセキュリティを情報記録媒体に付与することが可能になる。
【００１０】
また、前記赤外線を透過しかつ可視光を反射または吸収する材料を含む層の下に、基材層が設けられ、前記基材層の下に、前記赤外線蛍光層が設けられることが望ましい。
このホログラム積層体を前記の情報記録媒体に貼付することにより、赤外線蛍光層が画像情報に近くなり、赤外線での読取時に画像情報の輪郭がよりはっきりするので、読取が容易になる。
【００１１】
また、前記赤外線を透過しかつ可視光を反射または吸収する材料を含む層が、前記赤外線蛍光層の下に設けられ、前記赤外線を透過しかつ可視光を反射または吸収する材料を含む層の下に、基材層が設けられることも望ましい。
あるいは、前記赤外線を透過しかつ可視光を反射または吸収する材料を含む層の下に、前記赤外線蛍光層が設けられ、前記赤外線蛍光層の下に、基材層が設けられることも望ましい。
前者の場合、ホログラムの基材原反として一般的に流通している層構成のものをホログラム積層体の作成に利用できるので、製造時に都合がよいという利点があり、後者の場合、ホログラムが見やすく、ホログラムの目視による認証がしやすい利点がある。
【００１２】
また、第１の発明のホログラム積層体は、粘着層が最下層として設けられることが望ましい。
これにより、ホログラム積層体を情報記録媒体上に容易に貼付することができる。
【００１３】
第２の発明は、赤外線を透過しかつ可視光を反射または吸収する材料を含む層と、赤外線による励起光により励起され、励起光と異なるピーク波長の赤外線を発光する蛍光体を含む赤外線蛍光層とが、ホログラム層の下に設けられ、赤外線を吸収する材料で形成した画像情報を内部に有することを特徴とするホログラム積層体である。
【００１４】
このようにして、ホログラム積層体自体に、ホログラム層側からは目視し難く、かつ赤外線により読取可能な画像情報を形成することが可能になる。これにより、ホログラムの目視と赤外線による画像情報の読取の組み合わせによりホログラム自体のセキュリティ性を高め、偽造を防止できる。従って、これを貼付した情報記録媒体に高いセキュリティ性を付与することができる。
【００１５】
第３の発明は、赤外線を吸収する材料で形成した画像情報を有し、赤外線を透過しかつ可視光を反射または吸収する材料を含む層と、赤外線による励起光により励起され、励起光と異なるピーク波長の赤外線を発光する蛍光体を含む赤外線蛍光層とがホログラム層の下に設けられたホログラム積層体が、前記画像情報の上に付されたことを特徴とすることを特徴とする情報記録媒体である。
【００１６】
第３の発明の情報記録媒体では、赤外線を吸収する画像情報の上に第１の発明のホログラム積層体が付されることにより、前記したとおりセキュリティ性が高められる。
【発明の効果】
【００１７】
本発明により、高いセキュリティ効果を媒体に容易に付与できるホログラム積層体を提供することが可能になる。
【図面の簡単な説明】
【００１８】
【図１】ホログラムラベル１ａを示す図
【図２】ホログラムラベル１ａが付された情報記録媒体２０を示す図
【図３】読取装置５０、５８を示す図
【図４】画像データ９０を示す図
【図５】ホログラムラベル１ｂおよびホログラムラベル１ｂが付された情報記録媒体２０を示す図
【図６】ホログラムラベル１ｃおよびホログラムラベル１ｃが付された情報記録媒体２０を示す図
【図７】ホログラムラベル２ａを示す図
【図８】ホログラムラベル２ａの作成について示す図
【図９】画像データ９０ａを示す図
【図１０】画像情報３１ｂ〜３１ｈの形成位置を示す図
【図１１】ホログラムラベル２ｂを示す図
【図１２】ホログラムラベル２ｃを示す図
【発明を実施するための形態】
【００１９】
以下、本発明の実施形態を、図面を参照しながら詳細に説明する。
【００２０】
［第１の実施形態］
（ホログラムラベル等の構成）
図１は、本発明の第１の実施形態に係るホログラム積層体であるホログラムラベル１ａについて示す図である。
【００２１】
図１に示すように、ホログラムラベル１ａは、ホログラム層１５を最上層とし、その下方に、赤外線透過・可視光反射／吸収層１３、基材層１１、赤外線蛍光層１７、粘着層１９を順に重ねて形成される。
【００２２】
基材層１１は、例えば、ポリエチレンテレフタレート（ＰＥＴ）等の樹脂製のフィルムである。しかしながら、その材質はこれに限らず、種々の材料を用いることができる。
【００２３】
赤外線透過・可視光反射／吸収層１３は、赤外線を透過し、かつ可視光を反射または吸収する層である。本実施形態では、Ｃ（シアン）、Ｍ（マゼンダ）、Ｙ（イエロー）等の材料を分散させたＢｋ（ブラック）の色の層とする。この層は、ホログラム層１５のホログラムの見えを向上させるために一般的に用いられる反射吸収層としても機能する。
ただし、赤外線透過・可視光反射／吸収層１３はこれに限らず、赤外線を透過し、かつ可視光を反射もしくは吸収するような材料を含んでいればよい。例えば、ホログラムの見えをより向上させるために、金属薄膜を用いることも可能である。
【００２４】
ホログラム層１５としては、特許文献３等の公知の技術を用いることができるが、簡単に説明すると、エチレングリコールジアクリレート等の光重合性化合物にレーザー光等を露光し、これを重合させて干渉縞を記録したものや、不飽和ポリエステル樹脂等の熱硬化性樹脂上に干渉縞に対応する凹凸形状を記録したものを用いることができる。
【００２５】
赤外線蛍光層１７は、赤外線を励起光として照射することにより励起され、励起光とはピーク波長の異なる赤外線を発光する蛍光体を含む層であり、このような蛍光体を有する蛍光材料により形成できる。例えば根本特殊化学社製のＳＧ−ＹＳなどを用いて形成することができる。
【００２６】
粘着層１９は、ホログラムラベル１ａを対象に貼付するため最下層として設けられる層であり、例えば、感熱性粘着剤や感圧性粘着剤などを用いることができる。感熱性粘着剤としては、エチレン−酢酸ビニル共重合樹脂（ＥＶＡ）などがあり、感圧性粘着剤としては、アクリル系粘着剤、ゴム系粘着剤などを用いることができる。
【００２７】
なお、上記の基材層１１、ホログラム層１５、および粘着層１９は赤外線を透過する材料が用いられる。また、赤外線蛍光層１７の蛍光体以外の部分は、赤外線および可視光を透過する。
【００２８】
図２に示すように、ホログラムラベル１ａは、情報記録媒体２０に付して用いられる。この情報記録媒体２０は、基材２１に画像情報２３を形成したものであり、ホログラムラベル１ａはこの画像情報２３を覆うように貼付される。
【００２９】
基材２１は、例えば、印刷用の各種の紙材であるが、特にその材質等は問わない。
【００３０】
画像情報２３は、カーボン等の赤外線を吸収する材料を含むインキによる印刷で形成する。本実施形態では、一般に用いられているカーボンを含んだ黒色のインキによる印刷を行うものとするが、これに限らず、赤外線を吸収する材料であれば、これを使用して画像情報２３を形成することができる。また、画像情報２３としては、バーコード、二次元コード、ＯＣＲ用数字、ＯＣＲ用文字、数字、文字、絵柄、記号等の各種情報を記録することができる。
【００３１】
図２に示すように、ホログラムラベル１ａを、情報記録媒体２０の画像情報２３を覆うように貼付すると、この画像情報２３は、赤外線透過・可視光反射／吸収層１３等により、外部からは不可視となる。
一方、ホログラムラベル１ａを貼付した情報記録媒体２０に赤外線による励起光を照射することにより、情報記録媒体２０の画像情報２３の読取が可能である。以下、この赤外線を用いた読取について説明する。
【００３２】
（画像情報２３の読取）
図３は、ホログラムラベル１ａが貼付された情報記録媒体２０の画像情報２３を読取るための読取装置の構成例を示す図である。
図３（ａ）に示すように、画像情報２３の読取は、赤外線照射装置５１、赤外線カメラ５５、フィルタ５３等で構成される読取装置５０を用いて行われる。読取装置５０による読取結果は、画像データとして赤外線カメラ５５に接続された外部の情報処理装置５７に入力され、画像処理および認証等の処理が行なわれる。
【００３３】
赤外線照射装置５１は、例えば発光ダイオード等であり、励起光として赤外線を情報記録媒体２０へ照射する。
赤外線カメラ５５は、励起光により励起されたホログラムラベル１ａの赤外線蛍光層１７の蛍光体から発光される赤外線を受光素子で受光し、各受光素子での受光量を画像上の輝度値に変換する赤外線撮像装置である。赤外線カメラ５５は、赤外線領域に感度を有するものであれば、特に限られることはない。
【００３４】
フィルタ５３は、赤外線カメラ５５の受光面に設けられ、赤外線蛍光層１７から発光された赤外線のみを受光するために、赤外線照射装置５１が励起光として照射する赤外線をカットする。
【００３５】
赤外線照射装置５１から照射する励起光としては、例えば、ピーク波長が７５０〜９００ｎｍの赤外線を用い、ホログラムラベル１ａの赤外線蛍光層１７としては、該励起光により励起するとともに、励起により発光する赤外線のピーク波長が９０１〜１１００ｎｍの蛍光材料を用いる。
フィルタ５３としては、例えば、波長９０１ｎｍ以上の赤外線のみを透過するフィルタを用いることにより、赤外線照射装置５１からの励起光をカットし、赤外線蛍光層１７から発光した赤外線のみ赤外線カメラ５５で受光し撮像を行うことができる。
【００３６】
なお、ホログラムラベル１ａの赤外線蛍光層１７としては、上記に限ることはなく、励起光のピーク波長と、励起により発光する赤外線のピーク波長が異なる既知のものを適宜使用すればよい。フィルタ５３も上記に限らず、この励起光のピーク波長をカットし、励起により発光する赤外線のピーク波長を透過する既知のものを適宜使用すればよい。
【００３７】
情報処理装置５７は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等よりなる制御部や、記憶部、周辺機器の入出力部等を有し、記憶部に記憶した画像処理ソフトウエアや認証ソフトウェア等を実行することにより、赤外線カメラ５５から取得した画像データについて、画像処理による読取や認証を行うものである。
【００３８】
図３（ａ）の例は、読取装置５０が外部の情報処理装置５７に接続される分離型の例であるが、この読取装置としては、図３（ｂ）の読取装置５８に示すように、情報処理装置５７が内部に組み込まれた一体型のものであってもよい。読取装置５８のその他の構成は図３（ａ）と同様であるので、説明は省略する。
【００３９】
ホログラムラベル１ａが貼付された情報記録媒体２０の画像情報２３を読取る場合には、まず、読取装置５０において、赤外線照射装置５１から情報記録媒体２０へと赤外線による励起光を照射する。すると、情報記録媒体２０に付されたホログラムラベル１ａにおいて、ホログラム層１５、赤外線透過・可視光反射／吸収層１３、基材層１１を透過した励起光により、赤外線蛍光層１７の蛍光体が励起され、励起光とは異なるピーク波長の赤外線を発光する。この赤外線は上記の各層を透過するので、該赤外線を赤外線カメラ５５によりフィルタ５３を介して受光し、撮像を行うことができる。このようにして撮像を行った画像データに対し、情報処理装置５７にて画像処理を行い、画像情報２３を取得する。
【００４０】
図４は、赤外線カメラ５５で撮像された画像データ９０の一例を示す。励起光を照射されることにより、赤外線蛍光層１７は赤外線を発光するので、下方に画像情報２３が存在する部分を除き、画像データ９０上で高輝度の部分として現れる。一方、画像情報２３の部分は赤外線を吸収するので、画像データ９０上で、周囲よりも低輝度の部分として明確に現れる。
【００４１】
画像情報２３の上方に赤外線蛍光層１７が存在するにも関わらず、画像情報２３の部分が画像データ９０上で低輝度の部分として現れるのは、赤外線蛍光層１７を形成する蛍光材料に分散して含まれる蛍光体の量が、全体の半分弱程度であり、赤外線蛍光層１７の蛍光体以外の部分で下方の画像情報２３が画像上に現れ、この際、蛍光体から発光した赤外線が基材２１上で反射され赤外線カメラ５５に入射する画像情報２３以外の部分に対し、該赤外線が吸収される画像情報２３の部分が低輝度となるためである。
【００４２】
このような両部分の輝度差、及び、画像情報２３の輪郭の明確さにより、情報記録媒体２０を撮像した画像データ９０から、画像情報２３を読取ることが可能になる。また、赤外線蛍光層１７により画像データの全体が明るくなることも、ホログラムラベル１ａが貼付された情報記録媒体２０の読取に都合がよい。なお、ホログラムラベル１ａが貼付されていない部分は、低輝度の部分として画像データ９０上に現れる。
【００４３】
以上説明した第１の実施形態によれば、ホログラムラベル１ａを情報記録媒体２０に貼付することにより、ホログラム層１５のホログラムの目視、および、目視できない画像情報２３の赤外線での読取による二重のセキュリティ効果を達成することが可能になり、情報記録媒体２０に高いセキュリティが付与される。
また、このホログラムラベル１ａは、画像情報２３を基材２１に印刷して情報記録媒体２０を作成した後、目視されたくない画像情報２３の部分に後から貼付するだけでよく、必要な部分の保護を容易に行える。
さらに、画像情報２３と赤外線蛍光層１７が近いので、赤外線での読取時に画像情報２３の輪郭がよりはっきりし、画像情報２３の読取も容易である。
【００４４】
なお、ホログラムラベル１ａの粘着層１９は省略することも可能であり、この場合、情報記録媒体２０に粘着層等を設ければホログラムラベル１ａを貼付することができる。また、ホログラムラベル１ａを情報記録媒体２０に付すための手段も、粘着剤等により貼付するものに限らない。
【００４５】
［第２の実施形態］
次に、本発明の第２の実施形態について図５を参照して説明する。
図５は、本発明の第２の実施形態に係るホログラムラベル１ｂについて示す図である。図５（ａ）は、ホログラムラベル１ｂの断面構成を示す図、図５（ｂ）は、ホログラムラベル１ｂが貼付された情報記録媒体２０を示す図である。
【００４６】
第２の実施形態のホログラムラベル１ｂは、赤外線蛍光層１７をホログラム層１５と赤外線透過・可視光反射／吸収層１３の間に設けた点で第１の実施形態のホログラムラベル１ａと異なる。その他の点は第１の実施形態と同様であるので、説明を省略する。
【００４７】
このホログラムラベル１ｂを貼付した情報記録媒体２０についても、第１の実施形態と同様にして、不可視の画像情報２３を赤外線にて読取ることができ、ホログラムの目視と組み合わせて高いセキュリティが付与される。
また、第２の実施形態のホログラムラベル１ｂでは、粘着層１９、基材層１１、およびＢｋの色の層である赤外線透過・可視光反射／吸収層１３が隣接するが、このような層構成はホログラム用の基材原反として一般的に用いられているものの一つであるので、これを利用することができ製造時のコストダウンにつながるという効果もある。
【００４８】
［第３の実施形態］
図６は、本発明の第３の実施形態に係るホログラムラベル１ｃについて示す図である。図６（ａ）は、ホログラムラベル１ｃの断面構成を示す図、図６（ｂ）は、ホログラムラベル１ｃが貼付された情報記録媒体２０を示す図である。
【００４９】
第３の実施形態のホログラムラベル１ｃは、基材層１１と赤外線蛍光層１７の位置を上下に入れ替えた点で、第１の実施形態のホログラムラベル１ａと異なる。その他の点は第１の実施形態と同様であるので、説明を省略する。
【００５０】
このホログラムラベル１ｃを貼付した情報記録媒体２０についても、第１の実施形態と同様にして、不可視の画像情報２３を赤外線にて読取ることができ、ホログラムの目視と組み合わせて高いセキュリティが付与される。
また、ホログラム層１５の直下に、ホログラムの反射吸収層として機能する赤外線透過・可視光反射／吸収層１３が形成されているので、第２の実施形態に比べ、ホログラムが見やすいという利点もある。
【００５１】
［第４の実施形態］
（ホログラムラベルの構成）
図７は、本発明の第４の実施形態に係るホログラムラベル２ａについて示す図である。
図に示すように、このホログラムラベル２ａの層構成は第１の実施形態のホログラムラベル１ａと同様であるが、その内部において、基材層１１の赤外線蛍光層１７側の面に画像情報３１ａが形成されている点で異なる。この画像情報３１ａは、前記の画像情報２３と同様、カーボンを含んだ黒色のインキによる印刷を行い形成するが、これに限らず、赤外線を吸収する材料であれば、これを使用して画像情報３１ａを形成することができる。
【００５２】
このホログラムラベル２ａは、図８（ａ）に示すように、フィルム６１にホログラム層１５、赤外線透過・可視光反射／吸収層１３、基材層１１を順次貼り合せ重ねたものを予め形成しておき、図８（ｂ）に示すように基材層１１の表面に画像情報３１ａを形成した後、図８（ｃ）に示すように、これに重ねて赤外線蛍光層１７、粘着層１９を順次形成し、フィルム６１を剥がして作成できる。
【００５３】
（画像情報３１ａの読取）
この画像情報３１ａも、赤外線透過・可視光反射／吸収層１３等によりホログラム層１５側からは不可視であるが、前記と同様にして、赤外線を用いて読取ることができる。図９に画像情報３１ａを赤外線で読取った画像データ９０ａの例を示す。
画像情報３１ａの読取時には、前記と同様、赤外線による励起光をホログラムラベル２ａに照射する。すると、ホログラム層１５、赤外線透過・可視光反射／吸収層１３、基材層１１を透過した励起光により、赤外線蛍光層１７の、画像情報３１ａが上部に形成された部分を除く部分が励起され赤外線を発光し、この赤外線が上記の層を透過するので、画像データ９０ａ上で高輝度の部分として現れる。一方、画像情報３１ａの部分は励起光を吸収するので、画像データ９０ａで、周囲よりも低輝度の部分として強いコントラストで現れる。従って、前記と同様にこれを読取ることが可能である。
【００５４】
このように、ホログラムラベル２ａ自体にも、ホログラム層１５側から目視できない画像情報３１ａを形成することが可能であり、ホログラムの目視と、画像情報２３の赤外線による読取とを組み合わせて、セキュリティ性を向上させることができる。これにより、ホログラムラベル２ａ自体の偽造等が防がれ、これを付した情報記録媒体には高いセキュリティ性が付与されることになる。
【００５５】
（画像情報のその他の例）
なお、ホログラムラベル２ａ内に画像情報を形成する位置は上記の例に限らない。図１０の画像情報３１ｂ〜３１ｈは、それぞれ、ホログラムラベル２ａ内に画像情報を形成可能な位置の例を示している。図に示すように、ホログラムラベル２ａでは、その内部において、各層に画像情報を設けることが可能である。
【００５６】
画像情報３１ｂ、３１ｄ、３１ｆ、３１ｇは、それぞれ、赤外線透過・可視光反射／吸収層１３、基材層１１、赤外線蛍光層１７、粘着層１９の、ホログラム層１５側の上面に形成するものである。
【００５７】
これらの場合、上記の画像情報に対応する層の上面に、当該画像情報を形成し、その後、加工を行い、この層の粘着層１９側の下面から下にある層を重ねるとともに、当該層から上の層を重ねてホログラムラベル２ａを形成できる。
例えば画像情報３１ｂの場合、赤外線透過・可視光反射／吸収層１３の上面に画像情報３１ｂを形成した後、その下面に基材層１１、赤外線蛍光層１７、粘着層１９を順次貼り合せ、最後に、ホログラム層１５を赤外線透過・可視光反射／吸収層１３の上面に貼り合せてホログラムラベル２ａが形成できる。
【００５８】
一方、画像情報３１ｃ、３１ｅ、３１ｈは、それぞれ、ホログラム層１５、赤外線透過・可視光反射／吸収層１３、赤外線蛍光層１７の下面に形成するものである。
【００５９】
これらの場合、例えば、前記で説明した画像情報３１ａの場合と同様、予め、図示しないフィルムにホログラム層１５から上記の画像情報に対応する層まで順に重ねたものを作成しておき、当該層の下面に画像情報を形成した後、この面に、当該層から下の層を重ねてホログラムラベル２ａを形成できる。
【００６０】
例えば、画像情報３１ｈの場合、フィルムにホログラム層１５、赤外線透過・可視光反射／吸収層１３、基材層１１、赤外線蛍光層１７を順次貼り合せ重ねたものを予め形成しておき、この赤外線蛍光層１７の下面に画像情報３１ｈを形成した後、最後にこの面に粘着層１９を貼り合せて、ホログラムラベル２ａを形成できる。
【００６１】
ただし、ホログラムラベル２ａの形成方法はこれらに限らず、種々の方法を用いることが可能である。
【００６２】
このように、画像情報３１ａ〜３１ｈはホログラムラベル２ａの内部において各層に設けることができるが、例えばこれらの画像情報３１ａ〜３１ｈのうち、画像情報３１ｂ、３１ｈのように最上部や最下部に形成するものでは、前記したように、ホログラムラベル２ａの作成時の最終工程がホログラム層１５あるいは粘着層１９の一層を貼り合せるのみであるので、作成がしやすい利点がある。
【００６３】
また、画像情報３１ａ、３１ｄ〜３１ｈのように赤外線透過・可視光反射／吸収層１３の下方で形成するものでは、この層により画像情報を不可視とできる。
なお、赤外線透過・可視光反射／吸収層１３の上方で形成する画像情報３１ｂ、３１ｃは、本実施形態において画像情報３１ｂ、３１ｃの色が赤外線透過・可視光反射／吸収層１３と同じ黒色であることから、この層が背景となることにより目視し難くなっている。
【００６４】
さらに、赤外線蛍光層１７に近接する画像情報３１ａ、３１ｆ〜３１ｈでは、赤外線での読取時に画像情報の輪郭がはっきりし、読取りやすい利点がある。
【００６５】
［第５の実施形態］
図１１は、本発明の第５の実施形態に係るホログラムラベル２ｂについて示す図である。
ホログラムラベル２ｂは、第２の実施形態のホログラムラベル１ｂの層構成と同じであるが、その内部において、いずれかの層の上面または下面に、第４の実施形態と同様、赤外線を吸収する画像情報３２ａ〜３２ｈのいずれかが形成されたものである。
【００６６】
前記と同様、このホログラムラベル２ｂも、ホログラム層１５側からは目視し難い画像情報３２ａ〜３２ｈを、赤外線を用いて読取ることができ、ホログラムの目視と組み合わせてセキュリティを向上させることができる。
【００６７】
［第６の実施形態］
図１２は、本発明の第６の実施形態に係るホログラムラベル２ｃについて示す図である。
ホログラムラベル２ｃは、第３の実施形態のホログラムラベル１ｃの層構成と同じであるが、その内部において、いずれかの層の上面または下面に、第４の実施形態と同様、赤外線を吸収する画像情報３３ａ〜３３ｈのいずれかが形成されたものである。
【００６８】
前記と同様、このホログラムラベル２ｃも、ホログラム層１５側からは目視し難い画像情報３３ａ〜３３ｈを、赤外線を用いて読取ることができ、ホログラムの目視と組み合わせてセキュリティを向上させることが可能である。
【００６９】
なお、第５、第６の実施形態において、個々の画像情報３２ａ〜３３ｈ、３３ａ〜３３ｈの形成方法は、前記の第４の実施形態とほぼ同様である。また、個々の画像情報３２ａ〜３２ｈ、３３ａ〜３３ｈを形成した場合の効果も前記したものとほぼ同様であるので、ここでは説明を省略する。
【００７０】
また、第４〜第６の実施形態で説明したホログラムラベル２ａ〜２ｃは、第１〜第３の実施形態と同様、基材２１に赤外線を吸収する材料で画像情報２３を形成した情報記録媒体２０に貼付して用いることも可能であり、この場合は、例えば情報記録媒体２０の画像情報２３と、ホログラムラベル２ａ〜２ｃの画像情報を照合することにより認証を行うことも可能になる。
【００７１】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７２】
１ａ、１ｂ、１ｃ、２ａ、２ｂ、２ｃ………ホログラムラベル
１１………基材層
１３………赤外線透過・可視光反射／吸収層
１５………ホログラム層
１７………赤外線蛍光層
１９………粘着層
２１………基材層
２３、３１ａ〜３１ｈ、３２ａ〜３２ｈ、３３ａ〜３３ｈ………画像情報
【図１】
2013190729.tif 000003
【図２】
2013190729.tif 000004
【図３】
2013190729.tif 000005
【図４】
2013190729.tif 000006
【図５】
2013190729.tif 000007
【図６】
2013190729.tif 000008
【図７】
2013190729.tif 000009
【図８】
2013190729.tif 000010
【図９】
2013190729.tif 000011
【図１０】
2013190729.tif 000012
【図１１】
2013190729.tif 000013
【図１２】
2013190729.tif 000014